(57)【要約】【課題】特に機構等を大幅に追加することなく、多量の通帳２３を高速に処理できる通帳印字機構部２および通帳類取扱装置１を提供する。【解決手段】一括記帳処理が完了した通帳２３を前記挿入口４から放出するに際して、前記光学読取手段１０で読み取った前記通帳２３の開頁に基づいて、前記搬送手段１２により前記挿入口４から前記通帳２３を放出する放出速度を前記開頁に対応する放出速度となるように前記搬送手段１１を制御するステップＳ４〜Ｓ６を実行する構成とした。【選択図】図７
2009301126.tif 000002
【特許請求の範囲】
【請求項１】
複数枚重ねて収納した通帳類を一枚ずつ繰り出す繰出手段と、
該繰出手段から繰り出された通帳類を通帳類放出口へ搬送する搬送手段と、
前記搬送手段の途中に設けられて通帳類の頁を捲る頁替え手段と、
前記搬送手段の途中に設けられて通帳類に予め印刷された頁マークを読み取る頁マーク読取手段と
前記搬送手段の途中に設けられて通帳類に印字を行う印字手段と、
これらを制御して通帳類に必要な印字を行う記帳処理を実行する制御手段とを備え、
前記制御手段を、
前記記帳処理が完了した通帳類を前記通帳類放出口から放出するに際して、前記頁マーク読取手段で読み取った前記通帳類の頁情報に基づいて、前記搬送手段により前記通帳類放出口から前記通帳類を放出する放出速度を前記頁情報に対応する放出速度となるように前記搬送手段を制御する放出速度調整処理を実行する構成とした
通帳類取扱装置。
【請求項２】
前記通帳類の頁情報と前記放出速度を調整する速度情報とを対応付けて記憶する記憶手段を備え、
前記速度情報を、放出した通帳類の落下位置から前記通帳類放出口までの距離を一定に保つべく前記頁情報に応じて設定した。
請求項１記載の通帳類取扱装置。
【請求項３】
前記搬送手段の途中に前記通帳類の通帳種別を判別する通帳種別判別手段を備え、
前記放出速度調整処理を、
前記通帳種別と前記頁情報とに基づいて前記放出速度を定める構成とした
請求項１または２記載の通帳類取扱装置。
【請求項４】
前記通帳種別判別手段により判別した通帳種別に基づき取得した中紙の枚数と、前記頁マーク読取手段により判別した開頁とにより、通帳の中紙の枚数による質量と放出される際の開頁によりた通帳の落下位置の距離をより高精度にした
請求項３記載の通帳類取扱装置。
【請求項５】
前記放出速度調整処理を、
前記搬送手段で搬送する通帳類の搬送速度より前記放出速度を遅くする構成とし、
該遅くする放出速度を、前記頁マーク読取手段で読取った開頁に基づいて定める構成とした
請求項４記載の通帳類取扱装置。
【発明の詳細な説明】
【技術分野】
【０００１】
この発明は、例えば銀行等の金融機関で取り扱われる通帳類取扱装置に関する。
【背景技術】
【０００２】
従来、通帳や証書を発行する通帳類取扱装置として、通帳証書発行装置が提案されている（特許文献１参照）。この通帳証書発行装置は、通帳証書を挿入する挿入口と、一括記帳する通帳を収容する一括記帳部と、新規発行用の通帳証書を収容しておくホッパと、通帳証書に印字を行う印字ヘッドと、記帳済みの通帳証書を放出する通帳証書発行口と、これらの間で通帳証書を搬送する通帳証書搬送路とが設けられている。
【０００３】
上記一括記帳部を用いた一括記帳処理は、行員等が外回りで顧客より預かってきた通帳を一括記帳部にセットし、処理キー押下で処理を行うものである。この一括記帳処理により、オペレータは、処理キー押下後に操作する必要がなく、便利に利用できる。
【０００４】
上記通帳証書発行装置は、この一括記帳処理にて記帳した通帳類を、冊数が少なければ通帳証書発行口に発行してスタックすることができる。
【０００５】
ここで、一括記帳部にセットされた通帳類の冊数が、通帳証書発行口にスタックできないほど多い場合、記帳した通帳類を挿入口に放出することが考えられる。この場合、挿入口の下方位置に受けカゴを設置しておけば、挿入口から放出した通帳類を収容することができると考えられる。
【０００６】
しかし、このような通帳証書発行装置は、小スペース化が求められるため、受けカゴは余り大きくできず、特に通帳証書発行装置の正面側へ突出する突出寸法を長くできない。このため、通帳類を、挿入口から一定の距離以内に放出する必要がある。
【０００７】
このような制約条件の中、挿入口から放出した通帳類を受けカゴに確実に入れるためには、図９に示すように、挿入口１０４の近傍に放出ローラ１１８を設け、この放出ローラ１１８により通帳類を低速で確実に放出することが考えられる。
【０００８】
しかし、上述した方式は、原価アップの原因になるという問題点がある。詳述すると、上述したような通帳証書発行装置は、通常ＡＴＭに搭載されている通帳印字機構を流用して使用することが多い。これに対して上述した方式では不要な放出ローラ１１８を特別に追加することになり、機構が複雑で部品点数が多く原価アップの要因となる。
【０００９】
また、前記放出ローラ１１８の為に、挿入口１０４からの媒体のセット性を犠牲にすると言った問題点も生じる。つまり、挿入口１０４の近傍に放出ローラ１１８があると、通帳類などの媒体を利用者が挿入しようとするときに、この媒体が放出ローラ１１８に衝突し、セット性が悪くなる。
【特許文献１】特開２００４−３１５１４１号公報
【発明の開示】
【発明が解決しようとする課題】
【００１０】
この発明は、上述した問題点に鑑み、特に機構等を大幅に追加することなく、多量の通帳類を高速に処理できる通帳類取扱装置を提供することを目的とする。
【課題を解決するための手段】
【００１１】
この発明は、複数枚重ねて収納した通帳類を一枚ずつ繰り出す繰出手段と、該繰出手段から繰り出された通帳類を通帳類放出口へ搬送する搬送手段と、前記搬送手段の途中に設けられて通帳類の頁を捲る頁替え手段と、前記搬送手段の途中に設けられて通帳類に予め印刷された頁マークを読み取る頁マーク読取手段と前記搬送手段の途中に設けられて通帳類に印字を行う印字手段と、これらを制御して通帳類に必要な印字を行う記帳処理を実行する制御手段とを備え、前記制御手段を、前記記帳処理が完了した通帳類を前記通帳類放出口から放出するに際して、前記頁マーク読取手段で読み取った前記通帳類の頁情報に基づいて、前記搬送手段により前記通帳類放出口から前記通帳類を放出する放出速度を前記頁情報に対応する放出速度となるように前記搬送手段を制御する放出速度調整処理を実行する構成とした通帳類取扱装置であることを特徴とする。
【発明の効果】
【００１２】
この発明により、特に機構等を大幅に追加することなく、多量の通帳類を高速に処理することができる。
【発明を実施するための最良の形態】
【００１３】
この発明の一実施形態を以下図面と共に説明する。  
図１は、通帳類取扱装置１を備えた通帳類取扱システム２８の構成図であり、図２は、通帳類取扱装置１の構成を示す構成図であり、図３は通帳類取扱装置としての通帳印字機構部２の構成を示す構成図である。
【００１４】
通帳類取扱システム２８は、通帳類取扱装置１と、インターフェース手段２９により該通帳類取扱装置１と通信可能に接続された上位装置３０とで構成されている。この上位装置３０には、通信を行う通信手段、情報を記憶する記憶手段、およびこれらを制御する制御手段などの各手段を有している。
【００１５】
図２に示すように、通帳類取扱装置１は、主に通帳印字機構部２、通帳類スタック部３、通帳類放出口としての挿入口４、受けカゴ５、発行部としての発行機構６、および処理キー８により構成されている。
【００１６】
通帳印字機構部２は、通帳類の新規発行や記帳などを行う機構であり、詳しくは後述する。  
通帳類スタック部３は、通帳印字機構部２に設けられ、通帳印字機構部２にて発行された通帳類をスタックする。
【００１７】
挿入口４は、通帳印字機構部２に設けられ、外入れ通帳類の挿入を受け付け、また多量に記帳する際に通帳類を排出・放出する。  
受けカゴ５は、挿入口４から放出された通帳を受ける。
【００１８】
発行機構６は、複数の証書ホッパ６ａ、および複数の通帳ホッパ６ｂと、これらから繰り出した通帳類（通帳、証書）を通帳印字機構部２へ搬送する搬送路６ｃを有し、セットされた新品の通帳類（通帳、証書）を発行する。  
処理キー８は、押下されると一括記帳処理を実行するキーである。
【００１９】
図３に示すように、通帳印字機構部２は、主に通帳類スタック部３、挿入口４、通帳種別判別手段としての磁気読取/書込手段９、頁マーク読取手段としての光学読取手段１０、搬送手段１１、制御手段１２、印字手段１３、頁替え手段１４、搬送手段１５、搬送手段１６、スイッチバック手段１７、繰出手段としての一括記帳ホッパ１８、モータ１９、搬送ローラ２０、および放出センサ２１により構成されている。
【００２０】
磁気読取/書込手段９は、通帳に貼られた磁気ストライプの読み取りおよび書き込みを行う。これにより、通帳種別などを判別することが可能になる  
光学読取手段１０は、通帳に予め印刷された頁情報のバーコードを読み取る。
【００２１】
搬送手段１１は、通帳を搬送する。  
制御手段１２は、通帳印字機構を制御する。  
印字手段１３は、通帳類に印字を行う。
【００２２】
頁替え手段１４は、頁替えローラ１４ａによって通帳２３の頁をめくる。  
搬送手段１５は、通帳類をスタック部へ搬送する。  
搬送手段１６は、通帳類を発行部から通帳印字機構部へ搬送する。
【００２３】
スイッチバック手段１７は、発行部から搬送されてきた通帳類を通帳印字機構部へ搬送する前にスイッチバックさせる。  
一括記帳ホッパ１８は、行員等が外回りで持ち帰った通帳類としての通帳２３を一括で処理する際に通帳２３をセットさせる。
【００２４】
モータ１９は、通帳印字機構の搬送手段を駆動する。  
搬送ローラ２０は、挿入口４から一本目の搬送ローラである。  
放出センサ２１は、挿入口４から通帳２３を放出する際に通帳２３の通過を検知する。これにより、挿入口４から通帳２３を放出する際の放出速度を調整可能にしている。
【００２５】
図４は、低速放出速度調整情報３１のデータ構成図を示し、図５は、中速放出速度調整情報３２のデータ構成図を示し、図６は、高速放出速度調整情報３３のデータ構成図を示す。
【００２６】
これらの放出速度調整情報（３１〜３３）は、パルス数（ｐ）、パルス間隔（μｓ）、時刻（ｍｓ）、および速度情報としての速度（ＰＰＳ）により構成されており、制御手段１２内の記憶手段に記憶されている。
【００２７】
これらの放出速度調整情報（３１〜３３）は、通帳２３の放出直前の搬送速度を、それまでの搬送速度よりも挿入口４付近でどの程度まで遅くするかを定めるための情報である。
【００２８】
また、これらの放出速度調整情報（３１〜３３）は、低速放出速度調整情報３１のデータ数が最も多く、高速放出速度調整情報３３のデータ数が最も少なく構成されている。そして、高速放出速度調整情報３３の全データであるパルス数１〜１１までのデータは、放出速度調整情報（３１〜３３）の全てに共通するデータが記憶されている。また、中速放出速度調整情報３２と高速放出速度調整情報３３の共通部分であるパルス数１２〜１５のデータも共通するデータが記憶されている。そして、放出速度調整情報（３１〜３３）の各データは、パルス数が多くなるほど放出速度が遅くなるように構成されている。
【００２９】
これにより、放出速度を三段階に分けて調節できるようにしている。つまり、放出速度調整情報（３１〜３３）は、パルス数が多くなるに従って搬送速度を減速するように構成されている。そして、どのパルス数で減速を停止するかにより、それ以降の一定速度を異ならせ、これによって最終的な放出速度を異ならせている。なお、この実施例では３段階としているが、これに限らず、より細かい設定にする、あるいは２段階とすることも可能である。
【００３０】
このように構成された通帳印字機構部２は、次に説明する一括記帳処理を実行する。  
詳述すると、銀行等の金融機関の行員が外回り等で顧客から預かってきた通帳２３は、所定の通帳類取扱装置１以外の端末での処理が実施された後、通帳類取扱装置１の一括記帳ホッパ８にセットされる。
【００３１】
通帳類取扱装置１に具備された処理キー８が行員等に押下されると、通帳類印字機構部２は、セットされた通帳２３を一括記帳ホッパ１８から繰り出し、搬送手段１１により通帳印字機構部２の内部へ搬送する。次に、通帳印字機構部２は、通帳２３を頁替え手段１４の位置まで搬送し、印字を行いたい頁まで頁替え手段１４によって頁替えを実施する。
【００３２】
目的頁まで頁替えが終了すると、通帳２３を光学読取手段１０の位置まで搬送し、通帳２３に予め印刷された頁マークを読み取る。通帳印字機構部２は、読み取った頁が印字を行いたい頁と一致するか否か判定することで、印字を行いたい頁まで正しく頁替えされたかどうかチェックする。またこのとき同時に、通帳印字機構部２は、当該頁の何行まで印字が行われているかを読み取る。
【００３３】
次に通帳印字機構部２は、磁気読取/書込手段９の位置まで通帳２３を搬送し、該通帳２３に貼られた磁気ストライプに書かれた磁気情報を読み取る。この磁気情報に印字されている頁や印字行数がある場合、通帳印字機構部２は、当該情報と先に光学読取手段で読み取った情報が一致しているかチェックを行う。尚、前記頁や印字行数が磁気情報にない場合、通帳印字機構部２は、上位とのインターフェース手段２９を介して上位装置３０から当該情報を照会してもらいチェックを行う。なお、光学読み取りと磁気読み取りの順番は、前述の順番と異なり前後する場合もある。
【００３４】
前記チェックが正しければ、通帳印字機構部２は、通帳２３を印字手段１３の位置まで搬送し、印字手段１３により所定の印字を行う。所定の印字する行が当該頁の満行を超えた場合は頁替え手段１４の位置まで再び搬送を行い頁替えを行い、その後光学読取手段位置まで再度搬送し、当該頁が正しいかチェックを行い、印字手段位置まで再度搬送し、所定の印字を行う。尚、この頁が満行になった場合、通帳印字機構部２は、前記頁替え、光学読み取り、印字を行うことは言うまでもない。
【００３５】
通帳印字機構部２は、所定の印字を終えた通帳２３を再度磁気読取/書込手段９まで搬送し、更新された情報を磁気ストライプに書き込む。その後、通帳印字機構部２は、本発明の特徴である通帳放出処理を行う。
【００３６】
図７のフローチャートに示すように、通帳印字機構部２は、通帳放出処理を実行する。この通帳放出処理を実行する通帳印字機構部２は、まず通帳２３を挿入口４から放出するか否か判定する（ステップＳ１）。挿入口４から放出しない場合（ステップＳ１：Ｎ）、通常の発行処理であり、通帳２３を発行口である通帳類スタック部３へ排出するシーケンスを実行する（ステップＳ２）。
【００３７】
挿入口４から放出する場合（ステップＳ１：Ｙ）、通帳印字機構部２は、前記光学読み取りの結果から通帳の開頁（頁情報）が何頁かを確認する（ステップＳ３）。このとき、確認した開頁が、前方部頁と中央部頁と後方部頁のどれにあたるか３段階で評価する。前方部頁と中央部頁と後方部頁は、重複なく設定することが好ましく、たとえばほぼ均等に全頁の３分の１ずつに設定することができる。
【００３８】
開頁が通帳２３の前方部頁（放出方向の先端側が重い状態）の場合（ステップＳ３：前方部頁）、通帳印字機構部３の制御部１２は、駆動モータ１９に対して図４に示すスルーイングＡ（低速放出速度調整情報３１）で駆動するように命令を行う（ステップＳ４）。
【００３９】
この命令を受けた駆動モータ１９は、通常の搬送速度で挿入口４へ向けて搬送している通帳２３に対して、搬送速度を序々に減速する。そして、通帳２３の後端が挿入口４から１本目のローラ２０を離れる瞬間、駆動モータ１９は速度ＫｋＫｋで回転しながら通帳２３を放出する。
【００４０】
このように通帳２３の後端が挿入口４の奥の搬送ローラ２０を離れる時、通帳２３の重心２２は、図８（Ａ）に示すように、挿入口４の水平部分になく放出先端側に近い位置にあり、通帳２３に方向２５の慣性力がかかっている。
【００４１】
次に前記光学読み取りの結果が通帳２３のほぼ中央部頁の場合（ステップＳ３：ほぼ中央部頁）、制御部１２は、駆動モータ１９を図６に示すスルーイングＢ（中速放出速度調整情報３２）で駆動するように命令を行う（ステップＳ５）。
【００４２】
この命令を受けた駆動モータ１９は、通常の搬送速度で挿入口４へ向けて搬送している通帳２３に対して、搬送速度を序々に減速する。そして、通帳２３の後端が挿入口４から１本目のローラ２０を離れる瞬間、駆動モータ１９は速度ＴｔＴｔＴｔで回転しながら通帳２３を放出する。
【００４３】
このように通帳２３の後端が挿入口４の奥の搬送ローラ２０を離れる時、通帳２３の重心２２は、図８（Ｂ）に示すように、挿入口４の水平部分を離れる辺りとなる挿入口４の先端に近い位置（図示の例では挿入口４の外で先端に近い位置）にあり、通帳２３に方向２６の慣性力がかかっている。
【００４４】
さらに前記光学読み取りの結果が通帳２３の後方部頁の場合（ステップＳ３：後方部頁）、通帳印字機構部３の制御部１２は、駆動モータ１９を図６に示すスルーイングＣ（高速放出速度調整情報３３）で駆動するように命令を行う（ステップＳ６）。通帳２３の後端が挿入口４から１本目のローラ２０を離れる瞬間、駆動モータ１９は速度ＳｓＳｓで回転しながら通帳２３を放出する。
【００４５】
上述した放出速度について詳述すると、速度ＫｋＫｋ＜ＴｔＴｔ＜ＳｓＳｓの関係になっている。通帳２３の開頁が前方部頁の場合に通帳２３にかかる慣性力は図４に示す方向２５であり、速度ＫｋＫｋ（低速）である。通帳２３の開頁がほぼ中央部頁の場合に通帳２３にかかる慣性力は図５に示す方向２６であり、速度ＴｔＴｔ（中速）である。通帳２３の開頁が後方部頁の場合に通帳２３にかかる慣性力は図６に示す方向２７であり、速度ＳｓＳｓ（高速）である。
【００４６】
このように通帳２３の後端が挿入口４の奥の搬送ローラ２０を離れる時、通帳２３の重心２２は、図８（Ｃ）に示すように、通帳２３の重心２２は挿入口４の水平部分上となる挿入口４の内側にあり、通帳２３には方向２７の慣性力がかかっている。
【００４７】
また、上記ステップＳ４〜Ｓ６のいずれかの放出速度調整処理による通帳２３の放出を放出センサ２１により検知すると（ステップＳ７：Ｙ）、制御手段１２はモータ１９を停止し（ステップＳ８）、当該通帳２３に対する記帳から放出までの処理を完了する。
【００４８】
以上に説明したように、通帳の開頁に合わせて放出速度を調整することで、通帳２３を一定の距離に放出できる。詳述すると、開頁が前方部頁の場合、図８（Ａ）に示したように、開状態の通帳２３は、放出方向中央よりも放出方向先端側が重い状態で放出される。このため、仮に放出速度を一定にすると開頁が中央部頁や後方部頁の場合よりも勢いよく放出されて遠くへ放出されることになる。これを、挿入口４より内側にある搬送ローラ２０による放出速度を中央部頁や後方部頁より遅くすることで、放出後に着地するまでの距離を調整している。
【００４９】
同様に、開頁が後方部頁の場合、図８（Ｃ）に示したように、開状態の通帳２３は、放出方向中央よりも放出方向後端側が重い状態で放出される。このため、仮に放出速度を一定にすると開頁が中央部頁や前方部頁の場合よりも勢いのない状態で放出されて近くへ放出されることになる。このため、例えば開頁が前方部頁の場合と同一の放出速度で搬送ローラ２０により放出すると、挿入口４内で通帳２３が停止してしまい放出されない場合も生じ得る。これを、挿入口４より内側にある搬送ローラ２０による放出速度を中央部頁や後方部頁より早くすることで、確実に放出でき、かつ放出後に着地するまでの距離が同一になるように調整している。
【００５０】
このように、放出される通帳の開頁や質量（通帳の中紙枚数）の違いによる慣性力を速度制御することで、通帳２３が着地するまでの距離を一定にできる。これにより、通帳印字機構部２は、受けカゴ５の奥行き寸法７（図２参照）が短くても受けカゴ５の中に通帳２３を放出できる。
【００５１】
特に、搬送手段１１の最終端となる搬送ローラ２０から通帳２３が開放された瞬間に、該通帳２３の重心２２が挿入口４の外にあるか内にあるかによって、同じ放出速度で開放された場合の通帳２３が挿入口４から放出されて着地するまでの距離が大きく異なる。これに対し、少なくとも重心２２が挿入口４の外にある場合の放出速度（スルーイングＡ，Ｂ）と内にある場合の放出速度（スルーイングＣ）を異ならせることで、いずれの場合も放出して着地するまでの距離をほぼ同一にすることができる。
【００５２】
また、開頁が後方部頁である場合、通帳２３の重心２２が挿入口４の水平部分を通過するだけの慣性力を通帳２３に与えれる高速で放出するため、通帳２３が挿入口４に引っ掛って止まるといったことを防止できる。
【００５３】
また、挿入口４の近傍に別途の放出ローラを設ける必要がないため、部品点数が少なく簡易な機構で低コスト化を実現できる。また、このような別途の放出ローラを設けないため、挿入口４の奥の搬送ローラ２０から挿入口４の先端までの挿入口の水平な部分の長さ２４（図８（Ａ）参照）を確保でき、挿入口４からの媒体のセット性を向上することができる。
【００５４】
なお、前記実施例はモータがステップモータの場合を記したがモータが回転速度を制御できるものであれば何でも良いことは言うまでもない。  
また、前記実施例は通帳２３の開頁を前方部、ほぼ中央部、後方部に分類したが、各頁毎の速度テーブルでそれぞれの最適速度で放出を行ってもよい。この場合、放出距離の精度がさらに高まり、受けカゴ５の奥行き寸法７をさらに短くできる。
【００５５】
また、図１に示した上位装置３０からインターフェース手段２９を介して当該通帳２３の種類を取得し、その通帳２３の中紙の枚数の大小を加味した各頁毎の速度テーブルを用いてそれぞれの最適速度で放出を行う構成にしてもよい。この場合、放出距離の精度がさらに高まり、受けカゴ５の奥行き寸法７をさらに短くできる。
【００５６】
なお、この発明は、上述の実施形態の構成のみに限定されるものではなく、多くの実施の形態を得ることができる。
【産業上の利用可能性】
【００５７】
本発明は、銀行等の金融機関で取り扱われる通帳類取扱装置が無人で一度の処理で大量の通帳を放出する処理で利用の可能性がある。
【図面の簡単な説明】
【００５８】
【図１】通帳類取扱装置を備えた通帳類取扱システムの構成図。
【図２】通帳類取扱装置の構成図。
【図３】通帳印字機構部の構成図。
【図４】低速放出速度調整情報のデータ構成図。
【図５】中速放出速度調整情報のデータ構成図。
【図６】高速放出速度調整情報のデータ構成図。
【図７】通帳印字機構部による通帳放出処理のフローチャート。
【図８】通帳放出を説明する説明図。
【図９】従来の通帳放出を説明する説明図。
【符号の説明】
【００５９】
２…通帳印字機構部、４…挿入口、６…発行機構、９…磁気読取／書込手段、１０…光学読取手段、１１…搬送手段、１２…制御手段、１３…印字手段、１４…頁替え手段、１８…一括記帳ホッパ、２３…通帳
【図１】
2009301126.tif 000003
【図２】
2009301126.tif 000004
【図３】
2009301126.tif 000005
【図４】
2009301126.tif 000006
【図５】
2009301126.tif 000007
【図６】
2009301126.tif 000008
【図７】
2009301126.tif 000009
【図８】
2009301126.tif 000010
【図９】
2009301126.tif 000011